(57)【特許請求の範囲】
【請求項１】
吸汗性及び通気性を有する素材からなるシート状の基材に、足指を個別に挿入するための複数の指挿入孔を横並び状に設けてなり、
孔列の両端に位置する２つの指挿入孔が、横向きかつ互いに逆向きに設けたＵ字形のスリットにより形成されていて、足指の挿入により隣接する指挿入孔に向けて立ち上がる１つのフラップをそれぞれ有し、また、孔列の中間に位置する他の指挿入孔が、横向きに設けたＨ字形のスリットにより形成されていて、足指の挿入により左右に分かれて立ち上がる２つのフラップを有することを特徴とする足指用清涼具。
【請求項２】
上記基材の周辺部における隣接するスリットの間の位置に、それぞれ、使用時に皺が発生するのを防止するための切り込みが設けられていることを特徴とする請求項１に記載の足指用清涼具。
【請求項３】
上記基材に、消臭、抗菌、芳香等の衛生機能を少なくとも１つ備えた薬剤を含浸させたことを特徴とする請求項１又は２に記載の足指用清涼具。
【請求項４】
上記基材の足指に接触する面とは反対側の面に、含浸した薬剤の滲出を防止するための防護膜を施したことを特徴とする請求項３に記載の足指用清涼具。
【発明の詳細な説明】
【０００１】
【発明の属する技術分野】
本発明は、靴下を履く場合などに足先に装着し、足指同士の接触を防いだり汗や湿気を吸収することによって足先を清潔且つ清涼に保つ、足指用清涼具に関するものである。
【０００２】
【従来の技術】
この種の清涼具として従来、図４に示すようなものが知られている。この清涼具１は、不織布等の布地により小判形に形成したシート状基材２に、足指を挿入するための複数のスリット３を設けたもので、例えば靴下を履く祭に、各スリット３に足指を挿入することにより足先に装着して使用するものである。
【０００３】
しかしながら、上記従来の清涼具１は、ほぼ直線的に入れた細長のスリット３内に、それを左右に押し広げるようにして足指を挿入するものであるため、足指挿入時の抵抗が大きく、装着作業が比較的面倒である。しかも、この清涼具は、スリット３とスリット３との間の部分４が、隣接する足指と足指との間の部分（股部分）に接触することにより、そこに発生する汗や湿気等を吸収することはできるが、足指の側面が接触するのまでは防止できないため、接触した足指間に汗や湿気等が発生して蒸れ易く、清涼効果が低いという欠点がある。
【０００４】
【発明が解決しようとする課題】
本発明の技術的課題は、足指への装着が比較的簡単であると共に、足指の基端部側面同士が相互に接触するのを防ぐことができて、これらの足指間に発生する汗や湿気を吸収して蒸れを確実に防止することができる、衛生的で清涼効果の勝れた足指用清涼具を提供することにある。
【０００５】
【課題を解決するための手段】
上記課題を解決するため、本発明によれば、吸汗性及び通気性を有する素材からなるシート状の基材に、足指を個別に挿入するための複数の指挿入孔を横並び状に設けてなり、孔列の両端に位置する２つの指挿入孔が、横向きかつ互いに逆向きに設けたＵ字形のスリットにより形成されていて、足指の挿入により隣接する指挿入孔に向けて立ち上がる１つのフラップをそれぞれ有し、また、孔列の中間に位置する他の指挿入孔が、横向きに設けたＨ字形のスリットにより形成されていて、足指の挿入により左右に分かれて立ち上がる２つのフラップを有することを特徴とする足指用清涼具が提供される。
【０００６】
上記構成を有する本発明の清涼具は、指挿入孔が一定の孔幅を持つ開口であるため、その中に足指を簡単に挿入することができ、装着作業が容易である。しかも、足指を挿入するとフラップが自動的に立ち上がり、隣接する足指の基端部側面同士を隔絶してそれらが相互に接触するのを防止すると共に、これらの足指間に発生する汗や湿気を吸収して蒸れを防止するため、使用感及び清涼感に勝れ、非常に衛生的である。
【０００７】
本発明においては、上記基材の周辺部における隣接するスリットの間の位置に、使用時に皺が発生するのを防止するための切り込みをそれぞれ設けることが望ましい。
【０００８】
上記基材には、消臭、抗菌、芳香等の衛生機能を少なくとも１つ備えた薬剤を含浸させることができる。この場合、上記基材の足指に接触する面とは反対側の面に、含浸した薬剤の滲出を防止するための防護膜を施すことが望ましい。
【０００９】
【発明の実施の形態】
図１は本発明に係る清涼具の好ましい１実施形態を示すもので、この清涼具１０は、吸汗性及び通気性を有する不織布等のシート状素材により略小判形に形成した基材１１に、５本の足指を個別に挿入するための第１〜第５の５つの指挿入孔１２ａ〜１２ｅを横並び状に列設したものである。
【００１０】
上記各指挿入孔１２ａ〜１２ｅは、スリット１４，１５で回りを不完全に取り囲まれた部分に形成されていて、足指の挿入により図２及び図３のように立ち上がり、隣接する足指基端部同士の接触を防止するフラップ１６，１７を有している。
【００１１】
上述した指挿入孔の構成について更に詳しく説明すると、孔列の両端に位置する２つの指挿入孔１２ａ，１２ｅ、即ち、親指を挿入するための第１指挿入孔１２ａと小指を挿入するための第５指挿入孔１２ｅとが、横向きに切ったＵ字形のスリット１４、詳しくは、孔列の方向に延びる２本の平行な横線部１４ａ，１４ａと、これらの横線部１４ａ，１４ａの外端部同士を結ぶ連結線部１４ｂとからなるＵ字形のスリット１４により形成されていて、隣接する第２指挿入孔１２ｂ及び第４指挿入孔１２ｄに向けて立ち上がる１つのフラップ１６をそれぞれ有している。これに対して、孔列の中間に位置する第２指挿入孔１２ｂと第３指挿入孔１２ｃ及び第４指挿入孔１２ｄは、横向きに入れたＨ字形のスリット１５、詳しくは、孔列の方向に延びる２本の平行な横線部１５ａ，１５ａと、これらの横線部の中間位置を結ぶ縦線部１５ｂとからなるＨ字形の切り込み１５により形成されていて、それぞれの孔縁の相対する位置に、足指の挿入により左右に分かれて立ち上がる２つのフラップ１７，１７を有している。
なお、上記「Ｕ字形」の概念には、「コ字形」も含まれるものとする。
【００１２】
上記各指挿入孔１２ａ〜１２ｅのうち、親指を挿入するための第１指挿入孔１２ａは他のものより大きく形成され、その他の第２〜第５指挿入孔１２ｂ〜１２ｅは互いに同じ大きさに形成されている。
【００１３】
また、上記基材１１の周辺部には複数の切り込み１９が設けられ、該清涼具１０を足先に装着した際に、該清涼具１０の周辺に皺が寄るのをこれらの切り込み１９で防止するようにしている。
【００１４】
上記構成を有する清涼具１０は、図３に示すように、各指挿入孔１２ａ〜１２ｅ内に足指２０を個別に挿入することにより足先に装着し、その上から靴下等を履くようにする。この場合、各指挿入孔１２ａ〜１２ｅが一定の孔幅を持つ開口として形成されているため、その中に足指を簡単に挿入することができ、装着作業が容易である。
【００１５】
また、指挿入孔１２ａ〜１２ｅに足指を挿入すると、孔を覆っていたフラップ１６，１７が自動的に立ち上がり、各足指２０の基端部側面に接触して指２０，２０同士が直接接触するのを防止すると共に、これらの足指間に発生する汗や湿気を吸収して蒸れを防止する。それと同時に、各指挿入孔と指挿入孔との間の部分が足指と足指との間の股部分に接触して、そこに発生する汗や湿気等を吸収する。このため、フラップを持たない従来のものに比べて使用感及び清涼感に勝れ、非常に衛生的である。また、水虫等の治療薬を患部に塗布したあとこの清涼具１０を装着した場合には、その薬が脱落したり他のものに付着したりするのを防いで長時間保持できるという効果もある。
【００１６】
更に、上記清涼具１０は、それを足先に装着すると不規則に折れ曲がるが、その周辺部に切った切り込み１９によって皺の発生が抑えられるため、皺により清涼具１０が肉厚化した感じなって異物感を与えるといったこともない。
【００１７】
上記清涼具１０には、消臭、抗菌、芳香等の衛生機能を少なくとも１つ備えた薬剤を含浸させることができる。この場合、上記基材１１の足指に接触する面とは反対側の面に、含浸した薬剤の滲出を防止するための防護膜を施すことが望ましい。この防護膜としては、防水フィルムや撥水フィルム等が適している。
【００１８】
上記基材１１を構成する素材は、パルプやコットン、レーヨン、キュプラなどの天然素材であっても、人工的に吸水加工を施した素材（例えば吸水アクリルや吸水ポリマー）であっても良い。
【００１９】
なお、図示した実施例では、第１指挿入孔１２ａと第５指挿入孔１２ｅとをＵ字形のスリット１４により形成し、それら以外の第２指挿入孔１２ｂと第３指挿入孔１２ｃ及び第４指挿入孔１２ｄをＨ字形のスリット１５により形成しているが、全ての指挿入孔１２ａ〜１２ｅをＨ字形のスリット１５だけで形成しても良い。この場合、親指を挿入する第１指挿入孔１２ａを他のものより大きめに形成することが望ましい。
【００２０】
【発明の効果】
このように本発明によれば、足指への装着が比較的簡単であると共に、足指の基端部側面同士が相互に接触するのを防ぐことができて、これらの足指間に発生する汗や湿気を吸収して蒸れを確実に防止することができる、衛生的で清涼効果の勝れた足指用清涼具を得ることができる。
【図面の簡単な説明】
【図１】  本発明に係る清涼具の一実施例を示す平面図である。
【図２】  図１の清涼具のフラップを起立させた状態の斜視図である。
【図３】  図１の清涼具の使用状態の側面図である。
【図４】  従来の清涼具の平面図である。
【符号の説明】
１０    清涼具清掃具
１１    基材
１２ａ〜１２ｅ    指挿入孔
１４，１５    スリット
１６，１７    フラップ
１９    切り込み
２０ａ〜２０ｅ    足指
【図１】
0004215859.tif 000002
【図２】
0004215859.tif 000003
【図３】
0004215859.tif 000004
【図４】
0004215859.tif 000005